(57)【要約】【課題】独自のアプリケーションを使用することなく、撮影関連情報を閲覧可能とすると共に、画像の管理方法も個々の読影者の利用方法に対応可能する。【解決手段】無散瞳型デジタル眼底カメラ１１から得られた検査情報と、検査時の検査条件情報をパーソナルコンピュータ１２で管理する医用情報管理装置において、パーソナルコンピュータ１２はファイルの名前を検査条件情報の中から検査の判断が可能な情報を含めたファイル名とした検査情報ファイルを作成する。【選択図】        図１
2005021206.tif 000002
【特許請求の範囲】
【請求項１】
人体の一部から得られた検査情報と、検査時の検査条件情報を管理する医用情報管理装置において、前記検査情報からファイルを作成し、該ファイルの名前は前記検査条件情報の中から検査の判断が可能な情報を含めたファイル名とした検査情報ファイルを作成する検査情報ファイル作成部を有することを特徴とする医用情報管理装置。
【請求項２】
前記検査の判断が可能な情報には、人体の検査部位の判別が可能な情報を含むことを特徴とする請求項１に記載の医用情報管理装置。
【請求項３】
前記検査部位には、少なくとも人体の左右の判別が可能な情報を含むことを特徴とする請求項２に記載の医用情報管理装置。
【請求項４】
前記検査情報を前記検査情報ファイルとして保存する検査情報ファイル保存部を有し、前記検査情報ファイルは、前記検査情報ファイル作成部で作成される前記ファイル名とは異なるファイル名であることを特徴とする請求項３に記載の医用情報管理装置。
【請求項５】
前記検査情報ファイル作成部は、前記検査情報ファイル保存部に保存された前記検査情報ファイルを複製することを特徴とする請求項４に記載の医用情報管理装置。
【請求項６】
前記検査情報ファイル保存部には、前記検査情報と共に前記検査条件情報を保存することを特徴とする請求項４に記載の医用情報管理装置。
【請求項７】
前記検査情報は画像データであることを特徴とする請求項１〜６の何れか１つの請求項に記載の医用情報管理装置。
【発明の詳細な説明】
【０００１】
【発明の属する技術分野】
本発明は、例えば眼科医院や集団健診等で使用され、被検眼の眼底を撮影する眼底カメラなどに接続される医用情報管理装置に関するものである。
【０００２】
【従来の技術】
例えば医用情報管理装置として、眼底カメラのファイリングシステムが知られている。このファイリングシステムは眼底カメラと接続して用いられることが多い。眼底カメラの１つである無散瞳型眼底カメラは、被検眼が眩しさを感じない赤外光で観察を行い、撮影時だけ可視光を使うため、縮瞳しない状態のまま観察し撮影を行うようになっている。特に最近では、撮像素子の高解像度化により、撮影時も被検眼に殆ど眩しさを感じさせることのない低光量での撮影が可能なデジタル眼底カメラが主流となっている。
【０００３】
この無散瞳型のデジタル眼底カメラは、集団健診で用いられることが多く、通常の集団健診では、健診会場で撮影のみを行い後日に眼科医が読影を行うという方法が採られている。読影の際は、従来の銀塩フィルムでの撮影と同様に、▲１▼何時、▲２▼何処で撮影された、▲３▼誰の、▲４▼左右何れの眼、という情報が必要となってくる。
【０００４】
このような集団健診のプロセスでは、撮影時にこのような▲１▼〜▲４▼の情報を眼底写真の１枚１枚に付加することで、撮影関連情報を読影の際に知ることができる。
【０００５】
近年、眼底写真と撮影関連情報を管理できるアプリケーションソフトと、無散瞳型眼底カメラを組み合わせたファイリングシステムが提案されているが、通常ではこのようなファイリングシステムには、パーソナルコンピュータ（以下、ＰＣと云う）が用いられている。更に、電子画像がファイリングシステムと相性が良いため、特にデジタル眼底カメラでの撮影が有効となっている。
【０００６】
これらの代表的な装置の従来例に、電子画像を得る医用情報管理装置と、氏名・性別・年齢・左右眼などの撮影条件を入力可能な情報処理手段を備えた眼科画像処理システムとして、特許文献１による装置が提案されている。
【０００７】
【特許文献１】
特開平５−２６２９号公報
【０００８】
【発明が解決しようとする課題】
しかしながら上記のファイリングシステムでは、独自のアプリケーションを使うという制限の基で、眼底写真と▲１▼何時、▲２▼何処で撮影された、▲３▼誰の、▲４▼左右何れの眼、という撮影関連情報がリンクできるため、必ず独自のアプリケーションを使用する必要がある。
【０００９】
更に、前述の特許文献１による装置では、ファイル名に左右眼の情報を持たせる方法が示されているが、この場合にはファイル名の固定された所定の位置に、「Ｒ」、「Ｌ」、「右」、「左」などの文字が入ってしまうため、必ずしも読影者にとって適切ではない場合がある。
【００１０】
本発明の目的は、独自のアプリケーションを使用することなく、眼底写真と撮影関連情報を閲覧可能とすると共に、画像の管理方法も個々の読影者の利用方法に対応可能とした医用情報管理装置を提供することである。
【００１１】
【課題を解決するための手段】
上記目的を達成するための本発明に係る医用情報管理装置は、人体の一部から得られた検査情報と、検査時の検査条件情報を管理する医用情報管理装置において、前記検査情報からファイルを作成し、該ファイルの名前は前記検査条件情報の中から検査の判断が可能な情報を含めたファイル名とした検査情報ファイルを作成する検査情報ファイル作成部を有することを特徴とする。
【００１２】
【発明の実施の形態】
本発明を図示の実施の形態に基づいて詳細に説明する。
図１は医用情報管理装置の１つである無散瞳型デジタル眼底カメラを用いたファイリングシステムの構成を示すものである。ファイリングシステム１０は、無散瞳型デジタル眼底カメラ１１とファイル管理用のＰＣ１２によって構成されている。ＰＣ１２は撮影する患者が決まると、画像受け入れ許可信号を眼底カメラ１１に出力する。眼底カメラ１１はこの信号Ａにより撮影が可能になり、撮影された画像ファイルは、左右眼・撮影画角・撮影光量などの撮影条件情報と共に、画像ファイル情報ＢとしてＰＣ１２に出力される。
【００１３】
このファイリングシステム１０の構成において、図２は患者選択から保存までの手順を示すフローチャート図である。このフローチャート図の右側は無散瞳型デジタル眼底カメラ１１側での処理の順番を示し、左側はＰＣ１２での処理を示している。ＰＣ１２はステップＳ１として撮影する患者を選択する。ステップＳ２では、患者に対する情報が表示されると共にそれらの情報を確認し、必要に応じて検査メモなどの情報の更新を行う。この患者情報の確認が終了すると撮影が可能になるので、ステップＳ３では画像受け入れ許可信号を出力する。
【００１４】
ステップＳ４は無散瞳型デジタル眼底カメラ１１で実行され、ＰＣ１２からの画像受け入れ許可信号が入力され、この画像受け入れ許可信号によって眼底カメラ１１の操作が可能になる。ステップＳ５では、これから検査を行う患者の被検眼に対してアライメントを行う。
【００１５】
このとき、一度撮影を行った被検眼であれば、画像受け入れ許可信号として固視標の表示位置情報が含まれるため、被検眼が観察可能な位置に固視標を移動して表示している。このため、眼底カメラ１１を操作する検者は、速やかにアライメント動作を行うことができる。被検眼へのフォーカスの調整もここで行う。撮影部位が決定すると、ステップＳ６として眼底撮影を行う。
【００１６】
眼底撮影が終了すると、ステップＳ７として左右眼・撮影画角・撮影光量などの撮影条件情報の収集を行う。撮影された眼底画像は、左右眼・撮影画角・撮影光量などの撮影条件情報と共に画像ファイル情報として出力する。ステップＳ８におけるこの処理の終了によって、眼底カメラ１１は画像受け入れ許可信号によって行った１ルーチンの撮影動作を終了する。
【００１７】
ステップＳ９はＰＣ１２での処理となり、ステップＳ８で出力された画像ファイル情報が入力される。最後にステップＳ１０として、画像ファイルの保存と撮影条件情報の保存が実行される。
【００１８】
図３はファイリングシステム１０の詳細図を示し、ＰＣ１２は検査情報保存部１２ａと、システム管理部１２ｂと、画像ファイル作成部１２ｃにより構成されている。検査情報保存部１２ａは無散瞳型デジタル眼底カメラ１１から出力される画像ファイル情報から、画像ファイルを取り出して保存する。更に、画像ファイル作成部１２ｃには、ディスプレイ１３ａを付設したＰＣ１３が接続されている。
【００１９】
システム管理部１２ｂはＰＣ１２全体の管理を行っている。ＰＣ１２全体の管理の項目として、画像ファイルと関連付けた撮影条件情報の管理や、前述した画像受け入れ許可信号の出力などがある。画像ファイル作成部１２ｃは検査情報保存部１２ａに保存されている画像ファイルと、システム管理部１２ｂ中の撮影条件情報とから、検査情報保存部１２ａに保存されている画像ファイルとは異なる名前の画像ファイルを作成する。また、外部のＰＣ１３からの要求に対して、画像ファイル作成処理を行うようになっている。
【００２０】
図４はファイリングシステム１０内からの画像ファイル転送時の処理を示すフローチャート図である。外部のＰＣ１３はステップＳ１１として、電源が投入され画像ファイルの受け入れのための処理が実行される。画像ファイルの受け入れのための処理が終了し、画像ファイルの受け入れ準備が整うと、ステップＳ１２においてＰＣ１２の画像ファイル作成部１２ｃに対してファイル転送要求を出す。
【００２１】
ステップＳ１３はＰＣ１２で実行されるが、実際に外部のＰＣ１３から出力されたファイル転送要求はＰＣ１２の画像ファイル作成部１２ｃで受信される。ステップＳ１４も画像ファイル作成部１２ｃで実行され、検査情報保存部１２ａから画像ファイルを取り出す。このとき、本実施の形態では検査情報保存部１２ａ上の画像ファイルには影響を与えないように、画像ファイルのデータのみを取り出す処理、つまりファイルの複製を行っている。
【００２２】
しかしながら、ファイルを外部のシステムに転送する際に、元の画像ファイルが不要になる場合もあるので、そのような場合はファイルの複製ではなく、ファイルの移動処理を行うようにしてもよい。ステップＳ１５はステップＳ１４と同様に画像ファイル作成部１２ｃで実行されるが、ステップＳ４で取り出した画像ファイルの撮影条件情報をシステム管理部１２ｂから読み込む。このように、ステップＳ１４及びステップＳ１５によって、画像ファイル作成部１２ｃには、画像データとして画像ファイルと撮影条件情報が取得されている。
【００２３】
次に、ステップＳ１６ではこの画像データを基に、検査情報保存部１２ａに保存されている画像ファイルとは異なる名前のファイル名を作成する。ステップＳ１７では、ステップＳ１４で複製された画像ファイルをステップＳ１６で作成されたファイル名にして、新しい名前の画像ファイルを作成すると共に、画像ファイルを外部のＰＣ１３に転送する。
【００２４】
ステップＳ１８は外部のＰＣ１３での処理により、ステップＳ１６で作成された画像ファイルを受信する。ステップＳ１９ではステップＳ１８で受信した画像ファイルを保存する。このように、ステップＳ２〜ステップＳ１９の処理によって、１つの画像ファイルがＰＣ１２から、外部のＰＣ１３に転送されることになる。
【００２５】
ステップＳ２０は外部のＰＣ１３において、画像ファイルの転送が終了したかどうかを判断し、画像ファイルの転送が終了していなければ、再びステップＳ１２からの処理を行う。画像ファイルの転送が終了していれば、ステップＳ２１に進み一連の処理を終了する。
【００２６】
以上説明した方法は、外部のＰＣ１３から画像ファイルの転送要求を出力する方法であるが、ＬＡＮなどのネットワークで用いられるＦＴＰは、ＰＣ１２から外部のＰＣ１３にファイルを転送する形式になる。このように、画像ファイルの転送要求は、ＰＣ１２と外部のＰＣ１３の何れが行ってもよい。更に、本実施の形態のように転送元つまりＰＣ１２によって、画像ファイルを作成する方法と、画像ファイルを転送後に、転送先つまり外部のＰＣ１３により、画像ファイル名を変更することもできる。
【００２７】
図５は新しいファイル名のファイルが作成される様子を理解し易くした説明図である。ここでは、検査情報保存部１２ａ上の画像ファイル３０１１に例えば「Ｃ００００００１」というファイル名が付られている。システム管理部１２ｂには、画像ファイル３０１１に関連付けられた撮影条件情報３０２１が記録されている。
【００２８】
このように、画像ファイル名と共に、撮影場所や患者、撮影眼などを管理するには、データベースが便利である。本実施の形態においても、データベースのレコードとして、画像ファイル３０１１に関連する情報が、撮影条件情報３０２１の内部に、「Ｃ００００００１  ００００５  ２００２１２１２  １６：１０：２０  ００１  Ｒ」として記録されている。
【００２９】
画像ファイル作成部１２ｃはこの画像ファイル３０１１と撮影条件情報３０２１を基に、新しい名前の画像ファイル３０３１を作成する。本実施の形態において、新しい名前の画像ファイル３０３１は、「Ｒ＿００１＿００００５＿Ｃ００００００１」として作成されている。これは、読影医が左右眼別に分別を行っている場合に有効になる。
【００３０】
本実施の形態では図示はしていないが、画像ファイル作成部１２ｃには、作成する新しい名前の画像ファイル３０３１の作成方法を選択可能となっていて、この場合に、（イ）撮影眼、（ロ）患者ＩＤ、（ハ）撮影場所、（ニ）元のファイル名の順番で新しい名前の画像ファイル３０３１を作成するように指示している。従って、これらの順番は変更可能とされている。
【００３１】
更に、撮影条件情報３０２１を（イ）〜（ニ）としているが、患者の氏名・患者の性別・患者の年齢などの患者情報や、撮影光量・撮影画角・撮影に使用した装置など様々な情報が考えられる。
【００３２】
図６はディスプレイ１３ａ上に出力された画像ファイルのＰＣ１３上での閲覧の様子を示し、読影医は左右眼別に並べ換えが容易なため、左右眼別に分別を行うことができる。
【００３３】
図７は本実施の形態を用いない場合のＣＲＴ上での閲覧の様子を示し、この場合に読影医は左右眼別に並べ換えができず、左右眼別に分別を行うことも難しい。
【００３４】
本実施の形態では、無散瞳型デジタル眼底カメラ１１を用いたファイリングシステムを用いたため、検査情報は画像ファイルとして説明してきたが、検査情報は画像ファイルに限らず、その他の医用装置であるＸ線デジタルカメラやＣＴ、更には散瞳型眼底カメラや眼圧計などの眼科用機器にも応用できることは明らかである。
【００３５】
また、検査情報ファイルを外部装置に出力できるので、検査情報のバックアップが可能であり、更に、検査情報ファイルを外部装置に出力する際に複製した検査情報ファイルを出力すれば、内部の管理には全く影響がない。
【００３６】
【発明の効果】
以上説明したように本発明に係る医用情報管理装置は、撮影画像のファイル名に患者ＩＤ、撮影対象、撮影場所を記入することができるため、特別のアプリケーションを必要とすることなく、患者ＩＤ、撮影対象、撮影場所での管理が可能であり、システムを簡略化できる。更に、患者ＩＤ、撮影対象、撮影場所での並べ換えが可能なので、読影する画像を決定するために要するための時間を節約できる。
【００３７】
また、作成された撮影画像ファイルは、殆どのパーソナルコンピュータ上で管理可能であるため、撮影画像ファイルの受け渡しが容易であり、互換性が高く、システムによる制約を受けることが少ないという利点がある。
【図面の簡単な説明】
【図１】無散瞳型眼底カメラを用いたファイリングシステムの構成図である。
【図２】患者選択から保存までの手順を示すフローチャート図である。
【図３】ファイリングシステム内の詳細図である。
【図４】画像ファイル転送時の処理を示すフローチャート図である。
【図５】新しいファイル名のファイルが作成される様子の説明図である。
【図６】出力された画像ファイルのディスプレイ上での閲覧の様子の説明図である。
【図７】本実施の形態を用いない場合のディスプレイ上での閲覧の様子の説明図である。
【符号の説明】
１１  無散瞳型デジタル眼底カメラ
１２、１３  パーソナルコンピュータ
１２ａ  検査情報保存部
１２ｂ  システム管理部
１２ｃ  画像ファイル作成部
１３ａ  ディスプレイ
【図１】
2005021206.tif 000003
【図２】
2005021206.tif 000004
【図３】
2005021206.tif 000005
【図４】
2005021206.tif 000006
【図５】
2005021206.tif 000007
【図６】
2005021206.tif 000008
【図７】
2005021206.tif 000009